(57)【要約】      （修正有）【課題】光源など高コストを要することなく、その存在を際立たせることができる表示ボードを提供する。【解決手段】表示画像１１を表示する表示用シート１６はフレーム内に納められている。表示用シート１６は、前面がホログラム処理されたホログラムシート３１と、そのホログラムシート３１の前面側に重ね合わされた透明シート３２とを含んで構成されている。表示画像１１は、文字、図形、模様及び写真を有しており、光透過性を有する状態で透明シート３２の背面に印刷されている。表示画像１１は、透明シート３２とホログラムシート３１との間に挟まれた状態となっており、透明シート３２を介してホログラムを背景とした状態で表示用シート１６の前面から見えるようになっている。【選択図】図２
0003169447.tif 000002
【実用新案登録請求の範囲】
【請求項１】
フレームに表示用のシートが納められてなる表示ボードにおいて、
前記シートは、
表面がホログラム処理されたホログラムシートと、
前記ホログラムシートの表面側に重ね合わされた透明シートと、
を含んで構成されており、
前記透明シートに、文字、図形、模様又は写真の少なくとも一つからなる表示画像が光透過性を有した状態で印刷されていることを特徴とする表示ボード。
【請求項２】
前記表示画像は、前記透明シートの背面側に印刷されていることを特徴とする請求項１に記載の表示ボード。
【請求項３】
前記透明シートには、前記表示画像の少なくとも一部の更に裏面に、前記表示画像の光透過性を抑え又は光透過性を失わせるべく、不透光面が重ねて印刷されていることを特徴とする請求項２に記載の表示ボード。
【請求項４】
前記表示画像には、相対的に外延の明瞭な画像と外延の不明瞭な画像と、の両画像が含まれており、
前記不透光面は、前記外延の明瞭な画像に対しては相対的に外延が明瞭に印刷され、前記外延の不明瞭な画像に対しては相対的に外延が不明瞭に印刷されていることを特徴とする請求項３に記載の表示ボード。
【請求項５】
結婚式や結婚披露宴の会場に設置されるものであって、
前記表示画像には、新郎及び新婦の写真又はその写真を加工したデータが含まれていることを特徴とする請求項１乃至４のいずれか１項に記載の表示ボード。
【考案の詳細な説明】
【技術分野】
【０００１】
本考案は、ウェルカムボードなどの表示ボードに関する。
【背景技術】
【０００２】
表示ボードとして、結婚披露宴などのパーティ会場の入口に、歓迎の意を表すためのウェルカムボードを設置することがある。この種の表示ボードでは、メッセージや写真、模様などを印刷したシートを、フレームに納めた形で掲示するのが一般的である（例えば、特許文献１参照）。なお、このような表示ボードの目立ちにくさを解消すべく、シートの背後に光源を設置したものも提案されている（例えば、特許文献２参照）。
【先行技術文献】
【特許文献】
【０００３】
【特許文献１】特開２００１−２６５２３１号公報
【特許文献２】実用新案登録第３１００９６２号公報
【考案の概要】
【考案が解決しようとする課題】
【０００４】
しかし、表示ボードを目立たせるために光源を内蔵すると、表示ボード自体が高価になるという新たな問題が生じる。また、表示ボードのシートのみを持ち帰ることは不可能ではないにしても、持ち帰ったシート単独では掲示された時の印象とは異なってしまう。
【０００５】
そこで、本考案は、光源など高コストを要することなく、表示ボードの存在を際立たせることができるようにすることを目的とする。
【課題を解決するための手段】
【０００６】
上記課題を解決するため、第１の考案は、フレームに表示用のシートが納められてなる表示ボードにおいて、前記シートは、前面がホログラム処理されたホログラムシートと、前記ホログラムシートの前面側に重ね合わされた透明シートと、を含んで構成されており、前記透明シートに、文字、図形、模様又は写真の少なくとも一つからなる表示画像が光透過性を有した状態で印刷されていることを特徴とする。
【０００７】
第１の考案によれば、ホログラムシートの前面側に表示画像が配置されているため、表示画像がホログラムに対して浮き上がったような印象を与えることができる。しかも、このような表示画像が目立つ構成を、ホログラムシートと透明シートとを重ね合わせるという簡易な構成により実現できる。したがって、光源など高コストを要することなく、表示ボードの存在を際立たせることができる。
【０００８】
第２の考案では、前記表示画像は、前記透明シートの背面側に印刷されている。
【０００９】
第２の考案によれば、表示画像を透明シートとホログラムシートとの間に挟んだ状態で保護することができる。
【００１０】
第３の考案では、前記透明シートには、前記表示画像の少なくとも一部の更に裏面に、前記表示画像の光透過性を抑え又は光透過性を失わせるべく、不透光面が重ねて印刷されている。
【００１１】
第３の考案によれば、表示画像においてホログラムの反射を抑える部分と抑えない部分とが生じるため、表示画像の浮き上がり感を高めることが可能となる。したがって、表示画像の全体を一様に目立たせるのではなく、表示画像の特定の部分（例えば新郎及び新婦の写真）を特に目立たせることができる。
【００１２】
第４の考案では、前記表示画像には、相対的に外延の明瞭な画像と外延の不明瞭な画像と、の両画像が含まれており、前記不透光面は、前記外延の明瞭な画像に対しては相対的に外延が明瞭に印刷され、前記外延の不明瞭な画像に対しては相対的に外延が不明瞭に印刷されている。
【００１３】
第４の考案によれば、油絵の雰囲気や透明感のある雰囲気を出すための加工が施されている表示画像について、ホログラムにより表示画像の奥行き感や立体感を表現した上で、表示画像の雰囲気をホログラムが損なわないような自然な見せ方を実現することができる。
【００１４】
第５の考案では、結婚式や結婚披露宴の会場に設置されるものであって、前記表示画像には、新郎及び新婦の写真又はその写真を加工したデータが含まれている。
【００１５】
第５の考案によれば、表示ボードをいわゆるウェルカムボードやサンクスボードとして使用することができる。
【考案の効果】
【００１６】
本考案によれば、ホログラムシートと印刷済の透明シートとを重ね合わせたことにより、安価に製作できるにもかかわらず、奥行き感や立体感を表現して表示ボードの存在を際立たせることができる。
【図面の簡単な説明】
【００１７】
【図１】ウェルカムボードの構成を示す写真。
【図２】シートの構成を示す分解斜視図。
【図３】透明シートの構成を示す図。
【図４】別のウェルカムボードの構成を示す写真。
【考案を実施するための形態】
【００１８】
以下、本考案を具体化した一実施形態を図面に基づいて説明する。本実施形態では、本考案の表示ボードを結婚式や結婚披露宴の会場に設置されるウェルカムボードとして具体化している。図１において、（ａ）にウェルカムボードを前面側から見た場合の写真を示し、（ｂ）〜（ｄ）にウェルカムボードの一部を分解して透明シートを背面側から見た場合の写真を示す。
【００１９】
図１（ａ）に示すように、ウェルカムボード１０の前面（一側面）には表示画像１１が表示されている。ウェルカムボード１０は、略矩形枠状のフレーム１５と、表示画像１１を表示する表示用シート１６とを有しており、表示用シート１６はフレーム１５の内側に納められている。フレーム１５の内側には台紙１７が固定されており、表示用シート１６は、表示画像１１をウェルカムボード１０の前面側に向けた状態で台紙１７に取り付けられている。
【００２０】
図１（ｂ）〜（ｄ）、図２に示すように、表示用シート１６は、前面がホログラム処理されたホログラムシート３１と、そのホログラムシート３１の前面側に重ね合わされた透明シート３２（ＯＨＰシート）とを含んで構成されている。ホログラムシート３１は、その前面に付与されたホログラムが立体的に見え、見る角度によって異なる態様となるものである。
【００２１】
表示画像１１は、透明シート３２の背面（ホログラムシート３１と重なる面）に印刷されている。その印刷に際しては光透過性を有する塗料が使用されており、表示画像１１は光透過性を有している。表示画像１１は、透明シート３２とホログラムシート３１との間に挟まれた状態となっており、透明シート３２を介してホログラムを背景とした状態で表示用シート１６の前面から見えるようになっている。
【００２２】
表示画像１１は、文字２１、図形２２、模様２３及び写真２４を有している。文字２１には、「ＨａｐｐｙＷｅｄｄｉｎｇ」といった結婚を祝福するメッセージ、新郎及び新婦の名前、結婚式の日付などが含まれており、図形２２には、新郎及び新婦のイラストなどが含まれている。模様２３には、複数のハートマークなどが含まれており、写真２４には、新郎及び新婦の写真、教会の写真などが含まれている。
【００２３】
図形２２の新郎及び新婦は、ひげの有無や、髪の長さ、ブーケの有無、衣装のデザインなどを実際の写真に合わせてアレンジしたものである。写真２４において新郎及び新婦は、実際の写真を油絵風に加工したデータ画像とされている。なお、写真２４において新郎及び新婦は、実際の写真が加工されずにそのまま印刷されていてもよい。
【００２４】
表示画像１１には、その外延（周縁部）が明瞭な画像と、その画像に比べて外延が不明瞭な画像とが含まれている。例えば、図形２２において新郎及び新婦は外延が明瞭な画像とされており、写真２４において新郎及び新婦は外延が不明瞭な画像とされている。また、模様２３の複数のハートは、外延が明瞭な画像及び不明瞭な画像の両画像を含んで形成されている。なお、外延が不明瞭な画像は、その画像を表示する色が外延に向けて徐々に（連続的又は段階的に）背景の色に近くされており、外延が明瞭な画像は、その画像を表示する色が外延まで背景の色に関係なく保持されている。
【００２５】
図３に示すように、透明シート３２の背面には、光の透過を制限する不透光面３５が設けられている。不透光面３５は、表示画像１１の一部の背面に重ねて印刷されており、その二重印刷部分において表示画像１１の光透過性を抑えたり失わせたりしている。不透光面３５は、例えば文字２１、図形２２の新郎及び新婦、模様２３のハートマーク、写真２４の新郎及び新婦などの背面に配置されている。
【００２６】
なお、不透光面３５は白色塗料が塗布されることで形成されている。また、図３においては不透光面３５をドットハッチングで図示している。
【００２７】
不透光面３５は、表示画像１１のうち外延が明瞭な画像に対しては外延が明瞭に印刷されており、外延が不明瞭な画像に対しては外延が不明瞭に印刷されている。ここで、不透光面３５のうち外延が不明瞭な部分は、遮光性が外延に向けて徐々に低くされており、外延が明瞭な部分は、外延まで高い遮光性を有している。
【００２８】
写真２４の新郎及び新婦については、不透光面３５がスプレー塗装されたような状態とされている。これにより、油絵風の画像が実際の写真のイメージを損なうことがないようになっている。また、図形２２の教会については、不透光面３５が印刷されておらず、透明シート３２の前面側からホログラムが見えることにより透明感のある雰囲気が醸し出されている。
【００２９】
以上詳述した本実施形態によれば、以下の優れた効果が得られる。
【００３０】
ウェルカムボード１０の表示用シート１６において、ホログラムシート３１の前面側に表示画像１１が配置されているため、表示画像１１がホログラムに対して浮き上がったような印象を与えることができる。つまり、奥行き感や立体感を表現することができる。しかも、表示用シート１６はホログラムシート３１と透明シート３２とを重ね合わせるという簡易な構成により形成されている。したがって、光源など高コストを要することなく安価に作成できるとともに、ウェルカムボード１０の存在を際立たせることができる。
【００３１】
表示画像１１は透明シート３２のホログラムシート３１側の面（背面）に印刷されているため、表示画像１１を透明シート３２及びホログラムシート３１により挟んだ状態で保護することができる。
【００３２】
表示画像１１の一部の裏面には不透光面３５が印刷されているため、表示画像１１におけるホログラムの反射の強弱や有無により表示画像１１の浮き上がり感を高めることができる。したがって、表示画像１１の全体を一様に目立たせるのではなく、例えば写真２４の新郎及び新婦などホログラムの反射をなくした特定の部分を特に目立たせることができる。
【００３３】
油絵の雰囲気や透明感のある雰囲気を出すための加工が施されている表示画像１１について、ホログラムにより表示画像１１の奥行き感や立体感を表現した上で、表示画像１１の雰囲気をホログラムが損なわないような自然な見せ方を実現することができる。
【００３４】
（他の実施形態）
本考案は上記実施形態の記載内容に限定されず、例えば次のように実施してもよい。
【００３５】
・表示ボードはウェルカムボード１０ではなく他の用途に使用されてもよい。例えば、図４に示すように、感謝の気持ちを伝えるサンクスボード４０として使用される構成とする。サンクスボード４０は、ウェルカムボード１０と同様にフレーム１５及び表示用シート１６を有し、結婚式や結婚披露宴の際に新郎新婦の両親に贈られるものであって、表示画像１１がホログラムを背景として表示されたものである。サンクスボード４０の表示画像１１においては、文字に、新郎や新婦の誕生日、結婚式の日時、誕生日から結婚式当日までの経過日数などが含まれており、図形に、新郎や新婦から家族に宛てた手紙のイラストが含まれ、その手紙にはメッセージが印刷されている。また、模様に、複数の木葉が含まれており、写真に、新郎及び新婦の写真に加えて、新郎や新婦の幼少期の写真が含まれている。
【００３６】
・表示画像１１には、文字２１、図形２２、模様２３及び写真２４の少なくとも１つが含まれていればよい。
【００３７】
・表示用シート１６において、不透光面３５は透明シート３２の前面に印刷されていてもよい。また、不透光面３５は透明シート３２に印刷されていなくてもよい。つまり、表示画像１１及び不透光面３５の両方が印刷された二重印刷部分が形成されていなくてもよい。例えば、色が濃いほど光透過性が低くなる塗料により表示画像１１が印刷されている構成とする。この場合でも、表示画像１１が光透過性を有した状態で透明シート３２に印刷された構成、及び表示画像１１の光透過性を抑え又は失わせる構成の両方を実現することができる。
【符号の説明】
【００３８】
１０…表示ボードとしてのウェルカムボード、１１…表示画像、１５…フレーム、１６…シートとしての表示用シート、２１…文字、２２…図形、２３…模様、２４…写真、３１…ホログラムシート、３２…透明シート、表示ボードとしてのサンクスボード。
【図２】
0003169447.tif 000003
【図３】
0003169447.tif 000004
【図１】
0003169447.tif 000005
【図４】
0003169447.tif 000006